(57)【要約】【課題】  利用者の利便性を向上させつつ、移動通信端末装置の現在位置に対応して適切なサービスを提供する。【解決手段】  利用者の指令に応じて、移動通信端末装置１０が、サーバ装置６０にネットワーク４１を介してサービスの提供を要求する。このサービス提供要求を受けたサーバ装置６０が、移動通信端末装置１０に対して現在位置の測位を促す位置情報コンテンツを送信する。位置情報コンテンツを受けた移動通信端末装置１０では、現在位置の測位を行った後、測位結果及び当該測位結果の精度に関連する測位方法をサーバ装置６０へ通知する。この測位結果及び測位方法の情報を受けたサーバ装置６０は、通知された携帯電話１０の現在位置及びその精度に基づいて、移動通信端末装置１０の現在位置及び測位精度に応じたサービス情報を移動通信端末装置１０へ通知する。【選択図】  図６
2005217484.tif 000002
【特許請求の範囲】
【請求項１】
移動通信端末装置の現在位置に応じたサービスを提供するサービス提供方法であって、
前記移動通信端末装置が、現在位置の測位を行う測位工程と；
前記移動通信端末装置が、前記測位工程において得られた測位結果の精度に関連する情報を含む測位結果情報を前記サーバ装置へ通知する測位結果通知工程と；
前記サーバ装置が、通知された測位結果情報に基づいて、前記移動通信端末装置の位置に応じたサービスの情報を前記移動通信端末装置へ通知するサービス情報通知工程と；を備えるサービス提供方法。
【請求項２】
前記測位結果の精度に関連する情報は、前記測位結果を得た測位方法である、ことを特徴とする請求項１に記載のサービス提供方法。
【請求項３】
前記測位工程に先立って、前記サーバ装置が、前記移動通信端末装置に対して現在位置の測位を促す位置情報コンテンツを送信する位置情報コンテンツ送信工程が実行される、ことを特徴とする請求項１又は２に記載のサービス提供方法。
【請求項４】
前記位置情報コンテンツ送信工程では、前記サーバ装置が、測位方法を指定して、前記移動通信端末装置に対して現在位置の測位を促す、ことを特徴とする請求項３に記載のサービス提供方法。
【請求項５】
前記測位工程は、
前記移動通信端末装置が、前記指定された測位方法による現在位置の測位が可能であるか否かを判定する指定測位判定工程と；
前記指定測位判定工程における判定結果が肯定的であった場合に、前記移動通信端末装置が、前記指定された測位方法により現在位置の測位を行う指定測位工程と；
前記指定測位判定工程における判定結果が否定的であった場合、及び、前記指定測定工程において測位に失敗した場合に、前記指定された測位方法とは異なる測位方法により現在位置を測位する指定外測位工程と；を備えることを特徴とする請求項４に記載のサービス提供方法。
【請求項６】
前記測位結果通知工程では、前記測位結果を暗号化して前記サーバ装置へ通知する、ことを特徴とする請求項１〜５のいずれか一項に記載のサービス提供方法。
【請求項７】
サービスの提供用のサーバ装置が、ネットワークを介して接続された移動通信端末装置に、前記移動通信端末装置の現在位置に応じたサービスを提供するサービス提供システムであって、
前記移動通信端末装置は、
前記移動通信端末装置の現在位置の測位を行う測位手段と；
前記測位手段により得られた測位結果の精度に関連する情報を含む測位結果情報を前記サーバ装置へ通知する測位結果通知手段と；を備え、
前記サーバ装置は、前記移動通信端末装置から通知された測位結果情報に基づいて、前記移動通信端末装置の位置に応じたサービスの情報を前記移動通信端末装置へ通知するサービス情報通知手段を備えるサービス提供システム。
【請求項８】
前記サーバ装置は、前記移動通信端末装置に対して現在位置の測位を促す位置情報コンテンツを送信する位置情報コンテンツ送信手段を更に備える、ことを特徴とする請求項７に記載のサービス提供システム。
【請求項９】
前記位置情報コンテンツ送信手段は、測位方法を指定して、前記移動通信端末装置に対して現在位置の測位を促す位置情報コンテンツを送信する、ことを特徴とする請求項７又は８に記載のサービス提供システム。
【請求項１０】
サーバ装置が提供するサービス提供先の現在位置に応じたサービスを受けるための移動通信端末装置であって、
現在位置の測位を行う測位手段と；
前記測位手段により得られた測位結果の精度に関連する情報を含む測位結果情報を前記サーバ装置へ通知する測位結果通知手段と；を備える移動通信端末装置。
【請求項１１】
前記測位手段は、前記サーバ装置から前記現在位置の測位を促す位置情報コンテンツを受けた後に、前記現在位置の測位を開始する、ことを特徴とする請求項１０に記載の移動通信端末装置。
【請求項１２】
前記サーバ装置は、測位方法を指定して、前記位置情報コンテンツを送信し、
前記測位手段は、
前記指定された測位方法による現在位置の測位が可能であるか否かを判定する指定測位判定手段と；
前記指定測位判定手段による判定結果が肯定的であった場合に、前記指定された測位方法により現在位置の測位を行う指定測位手段と；
前記指定測位判定手段による判定結果が否定的であった場合、及び、前記指定測定手段が測位に失敗した場合に、前記指定された測位方法とは異なる測位方法により現在位置を測位する指定外測位手段と；を備えることを特徴とする請求項１０又は１１に記載の移動通信端末装置。
【請求項１３】
前記測位結果通知手段は、前記測位結果を暗号化して前記サーバ装置へ通知する、ことを特徴とする請求項１０〜１２のいずれか一項に記載の移動通信端末装置。
【発明の詳細な説明】
【技術分野】
【０００１】
本発明は、サービス提供方法、サービス提供システム及び移動通信端末装置に係り、より詳しくは移動通信端末装置の現在位置に応じたサービスを提供するサービス提供方法、当該サービス提供方法を使用するサービス提供システム、及び当該サービス提供システムにおいてサービスの提供を受ける移動通信端末装置に関するものである。
【背景技術】
【０００２】
従来から、携帯電話等の移動通信端末装置が広く普及している。こうした移動通信端末装置の機能や性能の向上は目覚しく、移動通信端末装置としての必須機能である通話機能やＥメールの送受信機能に加えて、移動通信端末装置の現在位置を計測する測位機能を有するものが登場してきている。
【０００３】
この測位機能及びブラウザ機能の具備を前提として、携帯電話等の移動通信端末装置に対して当該移動通信端末装置の現在位置に応じたサービスを提供することが実用化されている。この移動通信端末装置の現在位置に応じたサービスとしては、例えば当該現在位置を含む領域の地図情報やタウン情報といったコンテンツを提供するサービス等がある。
【０００４】
こうした移動通信端末装置の現在位置に応じたサービスは、現在広く普及しつつある。これに対応して、こうした移動通信端末装置の現在位置に応じたサービスに際して、移動通信端末装置（クライアント）と情報提供サーバとの間で、主に位置に関する情報及びクライアントへのコンテンツのダウンロード指示をＵＲＬ（Uniform Resource Locator）によって、クライアントからサーバに知らせる際のフォーマットの規格化が進行している（非特許文献１（以下、「ＭＯＰＡ規格書」という）参照）。
【非特許文献１】モバイルオフィス推進協議会                                        「モバイルツール向け位置情報ＵＲＬ規格書  ＭＯＰＡ−００１−２００１」
【発明の開示】
【発明が解決しようとする課題】
【０００５】
上述した移動通信端末装置の現在位置に応じた従来のサービスの提供では、移動通信端末装置が、その現在位置の測位結果をサービス提供サーバへ通知するようになっている。そして、測位結果を受けたサービス提供サーバが、地図情報等のコンテンツを移動通信端末装置へ提供するようになっている。
【０００６】
ここで、提供されるコンテンツが地図情報であるときには、サービス提供サーバが通知された測位結果の位置を中心位置とする地図の情報を提供することが最適である考えられるが、その際にどの程度の縮尺の地図情報を提供することが最適であるかは一義的に決まらなかった。これは、移動通信端末装置における測位方法により測位結果の精度が異なるからである。
【０００７】
この結果、例えば、精度の悪い測位方法による測位結果を移動通信端末装置が通知したのに、サービス提供サーバから縮尺が大きな詳細な地図情報が提供された場合には、提供された地図情報に対応する地図中において、移動通信端末装置の現在位置が中心位置にならない等、測位精度と提供される地図情報の縮尺との間の整合が図れないことがあった。
【０００８】
こうした事態を避けようとした場合には、移動通信端末装置から、要求する地図情報の縮尺をサービス提供サーバへ通知することが必要となっていた。このため、利用者にとって簡便に適切なサービスを受けることができるとは言い難かった。
【０００９】
本発明は、上記の事情を鑑みてなされたものであり、利用者の利便性を向上させつつ、移動通信端末装置の現在位置に対応して適切なサービスを提供することができるサービス提供方法を提供することを目的とする。
【００１０】
また、本発明は、利用者の利便性を向上させつつ、移動通信端末装置の現在位置に対応して適切なサービスを提供することができるサービス提供システムを提供することを目的とする。
【００１１】
また、本発明は、上記の本発明のサービス提供システムにおいて、現在位置に対応して適切なサービスの提供を受けることができる移動通信端末装置を提供することを目的とする。
【課題を解決するための手段】
【００１２】
本発明のサービス提供方法は、移動通信端末装置の現在位置に応じたサービスを提供するサービス提供方法であって、前記移動通信端末装置が、現在位置の測位を行う測位工程と；前記移動通信端末装置が、前記測位工程において得られた測位結果の精度に関連する情報を含む測位結果情報を前記サーバ装置へ通知する測位結果通知工程と；前記サーバ装置が、通知された測位結果情報に基づいて、前記移動通信端末装置の位置に応じたサービスの情報を前記移動通信端末装置へ通知するサービス情報通知工程と；を備えるサービス提供方法である。
【００１３】
このサービス提供方法では、移動通信端末装置は、測位工程において、現在位置の測位を行う。この測位に際しては、移動通信端末装置は、実装されている測位方法で測位を行う。こうした測位方式としては、ＧＰＳ（Global Positioning System）衛星を利用したＧＰＳ測位方法や、自身と無線リンクが確立している基地局の位置を自身の現在位置の測位結果とするいわゆるセルＩＤ測位方法がある。
【００１４】
なお、移動通信端末装置に複数の測位方法が実装されている場合には、例えば当該複数の測位方法のうちで最も精度の高い測位方法を選択する等、予め定められた優先順位の内で最も優先順位の高い測位方法で測位を行う。そして、最も優先順位の高い測位方法による測位に失敗したときには、順次優先順位を下げた測位方法により測位を行う。
【００１５】
こうして現在位置の測位を完了した移動通信端末装置は、測位結果通知工程において、測位工程において得られた測位結果の精度に関連する情報を含む測位結果情報を前記サーバ装置へ通知する。この測位結果情報を受けたサーバ装置は、サービス情報通知工程において、通知された移動通信端末装置の現在位置及びその精度に基づいて、移動通信端末装置の現在位置に応じたサービスの情報を決定し、移動通信端末装置へ通知する。この結果、移動通信端末装置には、現在位置及びその測位精度に応じた適切な情報が提供される。
【００１６】
したがって、本発明のサービス提供方法によれば、利用者の利便性を向上させつつ、移動通信端末装置の現在位置に対応して適切なサービスを提供することができる。
【００１７】
本発明のサービス提供方法では、前記測位結果の精度に関連する情報を、前記測位結果を得た測位方法とすることができる。これは、測位方法により、測位結果の精度をほぼ推定することができるからである。なお、測位結果の精度に関連する情報を、測位結果の精度そのものとすることができるのは、勿論である。
【００１８】
本発明のサービス提供方法では、前記測位工程に先立って、前記サーバ装置が、前記移動通信端末装置に対して現在位置の測位を促す位置情報コンテンツを送信する位置情報コンテンツ送信工程が実行されることとすることができる。この場合には、サービスの提供を受けようとする移動通信端末装置からサービス提供の要求を受信する等すると、サーバ装置が、位置情報コンテンツ送信工程において、移動通信端末装置に対して現在位置の測位を促す位置情報コンテンツを送信する。この後、上述した測位工程が開始される。この結果、サーバ装置と移動通信端末とが協調をとりながら、サーバ装置が移動通信端末装置にサービス情報を提供することができる。
【００１９】
ここで、本発明のサービス提供方法では、前記位置情報コンテンツ送信工程において、前記サーバ装置が、測位方法を指定して、前記移動通信端末装置に対して現在位置の測位を促すこととすることができる。この場合には、サーバ装置が提供できる情報に整合した精度が得られる測位方法による測位を、移動通信端末装置に促すことができる。
【００２０】
上記のように、位置情報コンテンツ送信工程において、サーバ装置が、測位方法を指定して、移動通信端末装置に対して現在位置の測位を促すこととした場合には、前記測位工程が、前記移動通信端末装置が、前記指定された測位方法による現在位置の測位が可能であるか否かを判定する指定測位判定工程と；前記指定測位判定工程における判定結果が肯定的であった場合に、前記移動通信端末装置が、前記指定された測位方法により現在位置の測位を行う指定測位工程と；前記指定測位判定工程における判定結果が否定的であった場合、及び、前記指定測定工程において測位に失敗した場合に、前記指定された測位方法とは異なる測位方法により現在位置を測位する指定外測位工程と；を備えることとすることができる。
【００２１】
この場合には、移動通信端末装置における現在位置の測位に際して、まず、指定測位判定工程において、移動通信端末装置が、サーバ装置により指定された測位方法による現在位置の測位が可能であるか否かを判定する。この判定結果が肯定的であった場合には、指定測位工程において、移動通信端末装置が、当該指定された測位方法により現在位置の測位を行う。そして、指定された測位方法による現在位置の測位が成功すると、上述した測位結果通知工程において、得られた測位結果の精度に関連する情報を含む測位結果情報がサーバ装置へ通知される。
【００２２】
一方、指定測位判定工程における判定の結果が否定的であった場合には、指定外測位工程において、指定された測位方法とは異なる測位方法により現在位置を測位する。また、指定測位工程における測位が失敗した場合にも、指定外測位工程において、指定された測位方法とは異なる測位方法により現在位置を測位する。そして、測位結果通知工程において、得られた測位結果の精度に関連する情報を含む測位結果情報を前記サーバ装置へ通知する。なお、移動通信端末装置に実装された測位方法の全てで測位に失敗した場合には、測位結果通知工程において、測位に失敗した旨がサーバ装置へ通知される。
【００２３】
したがって、移動通信端末装置における測位が、サーバ装置からの指定に極力沿った方法で自動的に行われるので、利用者の利便性を向上させることができる。
【００２４】
本発明のサービス提供方法では、前記測位結果通知工程において、前記測位結果情報を暗号化して前記サーバ装置へ通知することとすることができる。この場合には、暗号化により、個人情報である現在位置の情報の漏洩に対するセキュリティを高めることができる。
【００２５】
本発明のサービス提供システムは、サービスの提供用のサーバ装置が、ネットワークを介して接続された移動通信端末装置に、前記移動通信端末装置の現在位置に応じたサービスを提供するサービス提供システムであって、前記移動通信端末装置が、現在位置の測位を行う測位手段と；前記測位手段により得られた測位結果の精度に関連する情報を含む測位結果情報を前記サーバ装置へ通知する測位結果通知手段と；を備え、前記サーバ装置が、前記移動通信端末装置から通知された測位結果情報に基づいて、前記移動通信端末装置の位置に応じたサービスの情報を前記移動通信端末装置へ通知するサービス情報通知手段と；を備えるサービス提供手段；とを備えるサービス提供システムである。
【００２６】
このサービス提供システムでは、測位手段が、現在位置の測位を行う。引き続き、移動通信端末装置では、測位結果通知手段が測位手段により得られた測位結果の精度に関連する情報を含む測位結果情報を前記サーバ装置へ通知する。この測位結果情報を受けたサーバ装置では、サービス情報通知手段が、通知された移動通信端末装置の現在位置及びその精度に基づいて、移動通信端末装置の現在位置に応じたサービスの情報を決定し、移動通信端末装置へ通知する。
【００２７】
すなわち、本発明のサービス提供システムでは、上述した本発明のサービス提供方法を使用して、サーバ装置が移動通信端末装置へサービスを提供する。したがって、本発明のサービス提供システムによれば、利用者の利便性を向上させつつ、移動通信端末装置の現在位置に対応して適切なサービスを提供することができる。
【００２８】
本発明のサービス提供システムでは、サーバ装置が、前記移動通信端末装置に対して現在位置の測位を促す位置情報コンテンツを送信する位置情報コンテンツ送信手段を更に備える構成とすることができる。この場合には、移動通信端末装置からサービス提供要求を受ける等すると、サーバ装置の位置情報コンテンツ送信手段が、移動通信端末装置に対して現在位置の測位を促す位置情報コンテンツを送信する。そして、移動通信端末装置では、位置情報コンテンツを受けた後に測位を開始する。この結果、サーバ装置と移動通信端末とが協調をとりながら、サーバ装置が移動通信端末装置にサービス情報を提供することができる。
【００２９】
ここで、前記位置情報コンテンツ送信手段が、測位方法を指定して、前記移動通信端末装置に対して現在位置の測位を促す位置情報コンテンツを送信する構成とすることができる。この場合には、サーバ装置が提供できる情報に整合した精度が得られる測位方法による測位を、移動通信端末装置に促すことができる。
【００３０】
本発明の移動通信端末装置は、サーバ装置が提供するサービス提供先の現在位置に応じたサービスを受けるための移動通信端末装置であって、現在位置の測位を行う測位手段と；前記測位手段により得られた測位結果の精度に関連する情報を含む測位結果情報を前記サーバ装置へ通知する測位結果通知手段と；を備える移動通信端末装置である。
【００３１】
この移動通信端末装置では、測位手段が、現在位置の測位を行う。引き続き、測位結果通知手段が測位手段により得られた測位結果の精度に関連する情報を含む測位結果情報をサーバ装置へ通知する。
【００３２】
したがって、本発明の移動通信端末装置によれば、上述した本発明のサービス提供システムにおいて、現在位置に対応して適切なサービスの提供を受けることができる。
【００３３】
本発明の移動通信端末装置では、前記測位手段が、前記サーバ装置から前記現在位置の測位を促す位置情報コンテンツを受けた後に、前記現在位置の測位を開始する構成とすることができる。この場合には、サーバ装置と移動通信端末とが協調をとりながら、サーバ装置が移動通信端末装置にサービス情報を提供することができる。
【００３４】
本発明の移動通信端末装置では、前記サーバ装置が、測位方法を指定して、前記位置情報コンテンツを送信するときには、前記測位手段が、前記指定された測位方法による現在位置の測位が可能であるか否かを判定する指定測位判定手段と；前記指定測位判定手段における判定結果が肯定的であった場合に、前記指定された測位方法により現在位置の測位を行う指定測位手段と；前記指定測位判定手段による判定結果が否定的であった場合、及び、前記指定測定手段が測位に失敗した場合に、前記指定された測位方法とは異なる測位方法により現在位置を測位する指定外測位手段と；を備える構成とすることができる。
【００３５】
この場合には、移動通信端末装置における現在位置の測位に際して、まず、指定測位判定手段が、サーバ装置により指定された測位方法による現在位置の測位が可能であるか否かを判定する。この判定結果が肯定的であった場合には、指定測位手段が、当該指定された測位方法により現在位置の測位を行う。一方、指定測位判定手段による判定の結果が否定的であった場合には、指定外測位手段が、指定された測位方法とは異なる測位方法により現在位置を測位する。また、指定測位手段による測位が失敗した場合にも、指定外測位手段が、指定された測位方法とは異なる測位方法により現在位置を測位する。
【００３６】
したがって、移動通信端末装置における測位が、サーバ装置からの指定に極力沿った方法で自動的に行われるので、利用者の利便性を向上させることができる。
【００３７】
また、本発明の移動通信端末装置では、前記測位結果通知手段が、前記測位結果を暗号化して前記サーバ装置へ通知する構成とすることができる。この場合には、暗号化により、個人情報である現在位置の情報の漏洩に対するセキュリティを高めることができる。
【発明の効果】
【００３８】
以上説明したように、本発明のサービス提供方法及びこのサービス提供方法を使用するサービス提供システムによれば、利用者の利便性を向上させつつ、移動通信端末装置の現在位置に対応して適切なサービスを提供することができるという効果を奏する。
【００３９】
また、本発明の移動通信端末装置によれば、本発明のサービス提供システムにおいて、現在位置に対応して適切なサービスの提供を受けることができるという効果を奏する。
【発明を実施するための最良の形態】
【００４０】
以下、本発明の一実施形態を、図１〜図６を参照しつつ説明する。なお、これらの図においては、同一又は同等の要素には同一の符号を付し、重複する説明を省略する。
【００４１】
図１には、本発明の一実施形態に係るサービス提供システム１００の構成が模式的に示されている。図１に示されるように、この測位システム１００は、（ａ）携帯電話１０と、（ｂ）携帯電話１０と無線通信を行う基地局４２を介して、携帯電話１０が接続されるネットワーク４１と、（ｃ）ネットワーク４１に接続された測位アシストサーバ５０と、（ｄ）ネットワーク４１に接続されたサービス提供サーバ６０とを備えている。ここで、携帯電話の数及び基地局の数は、一般に多数であるが、図１では、１つの携帯電話１０と、１つの基地局４２とが代表的に示されている。
【００４２】
図２には、携帯電話１０の外観構成が概略的に示されている。図２に示されるように、携帯電話１０は、（ａ）後述する制御部２１を備える携帯電話本体１１（図３参照）と、（ｂ）電話番号を入力するためのテンキー、及び、動作モードの切替等の各種指令を制御部２１に入力するためのファンクションキーを有する操作部１２と、（ｃ）制御部２１による指令に応じて、操作案内、動作状況、受信メッセージ等を表示する液晶表示装置を有する表示部１３とを備えている。また、携帯電話１０は、（ｄ）通話時に通信相手から送られてきた音声信号を再生する通話用スピーカ１４と、（ｅ）集音時に音を入力したり、通話時に音声を入力したりするためのマイクロフォン１５と、（ｆ）制御部２１による指令に応じて、着信音や案内音を発生するための案内用スピーカ１６とを備えている。さらに、携帯電話１０は、（ｇ）基地局との間で無線信号を授受するためのアンテナ１７を備えている。
【００４３】
ここで、携帯電話本体１１は、図３に示されるように、その内部に、（ｉ）携帯電話本体１１の全体の動作を統括制御する制御部２１と、（ii）制御部２１による制御のもとで、ＧＰＳ衛星からの電波を受信するためのアンテナ２２Ａを有し、ＧＰＳ衛星からの電波を受信するＧＰＳ受信部２２とを備えている。また、携帯電話本体１１は、その内部に、（iii）リードオンリメモリ（ＲＯＭ）やランダムアクセスメモリ（ＲＡＭ）等に構成された記憶部２３と、（iv）基地局４２との間で通信を行うための無線送受信部２４とを備えている。
【００４４】
制御部２１は、無線送受信部２４を介して測位アシストサーバ５０からアシスト受けて、携帯電話１０の現在位置の測位を行う測位部３１を備えている。ここで、測位部３１は、ＧＰＳ測位及びセルＩＤ測位を行う。
【００４５】
また、制御部２１では、無線送受信部２４を介してサービス提供サーバ６０からサービスの提供を受けるアプリケーション３５が動作するようになっている。このアプリケーション３５は、（ｉ）無線送受信部２４を介してサービス提供サーバ６０からサービスの提供を受けるためのサービス提供要求を行うサービス提供要求部３６と、（ii）測位部３１による測位結果及び測位方法を、無線送受信部２４を介してサービス提供サーバ６０へ通知する測位結果通知部３７と、（iii）無線送受信部２４を介してサービス提供サーバ６０から通知されたサービス情報を受信して処理するサービス情報受信処理部３８とを備えている。ここで、測位結果通知部３７は、後述する位置情報コンテンツにおいて測位結果及び測位方法の暗号化が指定されていた場合には、測位結果及び測位方法を暗号化してサービス提供サーバ６０へ送信するようになっている。
【００４６】
なお、測位部３１がＧＰＳ測位を行う場合には、測位部３１は、無線送受信部２４を介して測位アシストサーバ５０から受信したＧＰＳ衛星の捕捉用情報に基づいてＧＰＳ受信部２２を制御して、ＧＰＳ衛星からの電波を観測するようになっている。ここで、測位部３１は、ＧＰＳ測位として、４つ以上のＧＰＳ衛星を捕捉して行う。こうして行われるＧＰＳ測位では、その測位精度に応じて便宜的に３段階に分類されるようになっている。また、ＧＰＳ測位ができない場合には、いわゆる拡張セルＩＤ測位モードで測位を行うが、このモードでも測位ができない場合には、いわゆる通常セルＩＤ測位モードで測位を行うようになっている。
【００４７】
本実施形態では、制御部２１は、中央処理装置（ＣＰＵ）やデジタル信号処理装置（ＤＳＰ）等を有し、プログラムを実行する処理装置となっている。そして、上述したアプリケーション３５の機能は勿論のこと、測位部３１の機能も、制御部２１において実行されるプログラムの実行によって実現されるようになっている。
【００４８】
測位アシストサーバ５０は、図４に示されるように、（ｉ）アシストサーバ５０の全体の動作を統括制御する制御処理装置５１と、（ii）ＧＰＳ衛星からの電波を受信するためのアンテナ５２と、（iii）各種プログラムや各種データを格納する記憶装置５３と、（iv)ネットワーク４１を介した通信を行うための送受信装置５４とを備えている。ここで、制御処理装置５１は、（ｉ）送受信装置５４を介したアシスト要求を受けて、アシスト情報を導出するアシスト情報導出部５６と、（ii）アシスト情報導出部５６により導出されたアシスト情報を、送受信装置５４、ネットワーク４１等を介して、アシスト要求を行った端末装置へ通知するアシスト情報通知部５７とを備えている。
【００４９】
アシスト情報導出部５６は、送受信装置５４を介してＧＰＳ測位アシスト要求を受けると、アシスト要求のパラメータとして指定された基地局識別子に対応する基地局位置情報を記憶装置５３から読み出す。そして、アシスト情報導出部５６は、読み出された基地局位置に応じたセル内における位置算出機能を有する端末装置のための捕捉用情報及び位置算出用情報というＧＰＳ測位のアシスト情報を導出する。
【００５０】
また、アシスト情報導出部５６は、送受信装置５４を介してセルＩＤ測位アシスト要求を受けると、アシスト要求のパラメータとして指定された基地局識別子に対応する基地局位置情報を記憶装置５３からセルＩＤアシスト情報として読み出す。
【００５１】
なお、アシスト情報通知部５７は、アシスト情報導出部５６により導出されたＧＰＳ測位アシスト情報又はセルＩＤ測位アシスト情報を受ける。そして、アシスト情報通知部５７は、アシスト要求を行った端末装置へアシスト情報を通知する。
【００５２】
このように構成されたアシストサーバ５０は、アンテナ５２を用いて、常にＧＰＳ衛星を観測しており、ＧＰＳ衛星に関する各種情報を刻々収集している。そして、ネットワーク４１に接続された端末装置からＧＰＳ測位アシスト要求を受けると、ＧＰＳ測位のためのアシスト情報を通知するようになっている。
【００５３】
サービス提供サーバ６０は、図５に示されるように、（ｉ）サービス提供サーバ６０の全体の動作を統括制御する制御処理装置６１と、（ii）各種プログラムや各種データを格納する記憶装置６３と、（iii）ネットワーク４１を介した通信を行うための送受信装置６４とを備えている。ここで、制御処理装置６１は、（ｉ）送受信装置６４を介して入力したデータを解析する受信データ解析部６６と、（ii）サービス提供要求を発行した装置へ、現在位置の測位を促す位置情報コンテンツを送信する位置情報コンテンツ送信部６７と、（iii）サービス提供要求を発行した装置へサービス情報を通知するサービス情報通知部６８と、を備える。
【００５４】
なお、位置情報コンテンツ送信部６７は、受信データ解析部６６による解析の結果、受信データがサービス提供要求データであった場合に、サービス提供要求を発行した装置へ現在位置の測位を促す位置情報コンテンツを送信する。また、サービス情報通知部６８は、受信データ解析部６６による解析の結果、受信データが、サービス提供要求をした装置からの測位結果及び測位方法のデータであった場合に、当該測位結果及び測位方法のデータに基づいてサービス情報を導出する。そして、サービス情報通知部６８は、導出されたサービス情報を、サービス提供要求を発行した装置へサービス情報を通知する。
【００５５】
次に、上記のように構成されたサービス提供システム１００における、携帯電話１０へのサービス情報の提供動作を、主に図６を参照して説明する。なお、以下の説明においては、携帯電話１０に提供されるサービスは、携帯電話１０の現在位置を含む領域の地図情報であるとものとする。
【００５６】
携帯電話１０の利用者が、操作部１２を操作して、サービス提供サーバ６０へのサービス提供要求を指令すると、図６に示されるように、携帯電話１０のアプリケーション３５のサービス提供要求部３６が、無線送受信部２４、基地局４２及びネットワーク４１を介して、サービス提供要求をサービス提供サーバ６０へ向けて送信する。サービス提供サーバ６０では、このサービス提供要求を、送受信装置６４を介して、制御処理装置６１の受信データ解析部６６で受信する。
【００５７】
受信データ解析部６６では、受信したデータを解析し、当該受信データがサービス提供要求のデータであることを認識すると、サービス提供要求を受信した旨を位置情報コンテンツ送信部６７へ通知する。この通知を受けた位置情報コンテンツ送信部６７は、送受信部６４及びネットワーク４１を介して、現在位置の測位をし、測位結果を報告することを促す位置情報コンテンツを携帯電話１０へ向けて送信する。携帯電話１０では、この位置情報コンテンツを、基地局４２及び無線送受信部２４を介して、アプリケーション３５で受信する。
【００５８】
位置情報コンテンツを受けたアプリケーション３５は、その旨を表示部１３に表示する。こうした表示例が、図７に示されている。この後、利用者が操作部１２を操作して測位動作の開始を指令する（図７の表示例の場合には、「ココ」のクリックを行う）と、アプリケーション３５が、現在位置の測位指令を測位部３１に通知する。この測位指令を受けた測位部３１は、ＧＰＳ測位を開始する。このＧＰＳ測位に際して、測位部３１は、基地局４２の識別子をパラメータとするＧＰＳ測位のためのアシスト要求を、無線送受信部２４、基地局４２及びネットワーク４１を介して、測位アシストサーバ５０へ向けて送信する。このアシスト要求を測位アシストサーバ５０が受信すると、制御処理装置５１のアシスト情報導出部５６が、基地局４２の識別子と対応して記憶装置５３内に記憶されている基地局４２の位置情報を読み出す。引き続き、アシスト情報導出部５６は、読み出された基地局４２の位置情報に基づいて、携帯電話１０がＧＰＳ測位のために必要とする衛星の捕捉用情報及び位置算出用情報をＧＰＳ測位アシスト情報として導出する。そして、アシスト情報導出部５６は、送受信装置５４、ネットワーク４１及び基地局４２を介して、ＧＰＳ測位アシスト情報を携帯電話１０へ向けて送信する。
【００５９】
ＧＰＳ測位アシスト情報を受けた携帯電話１０では、測位部３１が、ＧＰＳ測位アシスト情報のうちの捕捉用情報に基づいてＧＰＳ受信部２２を制御して、ＧＰＳ衛星を捕捉し、ＧＰＳ衛星からの電波を観測する。引き続き、この観測結果に基づいて、測位部３１がＧＰＳ衛星との間の距離を求める。そして、測位部３１は、計測された距離及び先に受けたアシスト情報のうちの位置算出用情報に基づいて、携帯電話１０の現在位置を算出する。なお、ＧＰＳ衛星の捕捉が所定時間以内にできなかった場合には、タイムアウトエラーを検出するようになっている。
【００６０】
上述のＧＰＳ測位に失敗した場合には、測位部３１は、セルＩＤ測位を開始する。このセルＩＤ測位に際して、測位部３１は、基地局４２の識別子をパラメータとするセルＩＤ測位のためのアシスト要求を、無線送受信部２４、基地局４２及びネットワーク４１を介して、測位アシストサーバ５０へ向けて送信する。このアシスト要求を測位アシストサーバ５０が受信すると、制御処理装置５１のアシスト情報導出部５６が、基地局４２の識別子と対応して記憶装置５３内に記憶されている基地局４２の位置情報を読み出す。そして、アシスト情報導出部５６は、読み出された基地局４２の位置情報をセルＩＤアシスト情報として、送受信装置５４、ネットワーク４１及び基地局４２を介して携帯電話１０へ向けて送信する。
【００６１】
セルＩＤ測位アシスト情報を受けた携帯電話１０では、測位部３１が、セルＩＤ測位アシスト情報すなわち基地局４２の位置情報に基づいて、いわゆる拡張セルＩＤ測位モードで測位を行う。この拡張セルＩＤ測位モードによる測位が失敗した場合には、測位部３１は、いわゆる通常セルＩＤ測位モードで測位を行うようになっている。
【００６２】
以上のようにして現在位置の測位が終了すると、測位部３１は、測位結果及びその測位結果が得られた測位方法をアプリケーション３５へ通知する。アプリケーション３５では、測位結果通知部３７が、測位結果及びその測位結果が得られた測位方法を受ける。そして、測位結果通知部３７は、測位結果及び測位方法を、無線送受信部２４、基地局４２及びネットワーク４１を介して、サービス提供サーバ６０へ向けて送信する。なお、測位結果通知部３７は、暗号化送信の指定を受けていたときには、測位結果及び測位方法を暗号化して送信する。
【００６３】
サービス提供サーバ６０では、測位結果及び測位方法を、送受信部６４を介して、制御処理装置６１の受信データ解析部６６で受信する。引き続き、受信データ解析部６６では、受信したデータを解析し、当該受信データがサービス提供要求を先に送信した携帯電話１０からの現在位置の測位結果及び測位方法のデータであることを認識すると、サービス提供要求をした携帯電話１０から現在位置の測位結果及び測位方法を受信した旨をサービス情報通知部６８へ通知する。なお、上述したＭＯＰＡ規格書に準じる場合には、測位方法をオプションパラメータとして通知する。
【００６４】
この通知を受けたサービス情報通知部６８は、携帯電話１０の現在位置の測位結果及び測位方法を解析する。引き続き、サービス情報通知部６８は、携帯電話１０の現在位置を含み、現在位置の測位方法に応じた縮尺の地図情報をサービス情報と決定する。そして、サービス情報通知部６８は、記憶装置６３にアクセスして、サービス情報と決定した地図情報を取得する。
【００６５】
次に、サービス情報通知部６８は、サービス情報である地図情報を、送受信装置５４、ネットワーク４１及び基地局４２を介して携帯電話１０へ向けて送信する。携帯電話１０では、無線送受信部２４を介して、サービス情報受信処理部３８が、サービス情報を受信する。そして、サービス情報受信処理部３８は、サービス情報である地図情報を表示部１３に表示し、利用者へ提供する。
【００６６】
なお、本実施形態においては、携帯電話１０に配信される位置情報コンテンツが、いわゆる属性方式ではなく、いわゆるスキーマ方式で記述されるようになっている。この結果、携帯電話１０における測位結果等の送出機能の実装が、属性方式を採用した場合よりも容易となっている。
【００６７】
以上説明したように、本実施形態のサービス提供システム１００では、利用者の指令に応じて、移動通信端末装置である携帯電話１０のアプリケーション３５のサービス提供要求部３６が、サービス提供サーバ６０にネットワーク４１を介してサービスの提供を要求する。このサービス提供要求を受けたサービス提供サーバ６０の位置情報コンテンツ送信部６７が、携帯電話１０に対して現在位置の測位を促す位置情報コンテンツを配信する。位置情報コンテンツを受けた携帯電話１０では、アプリケーション３５の要求により測位部３１が、現在位置の測位を行った後、アプリケーション３５の測位結果通知部３７が、測位結果及び当該測位結果の精度に関連する測位方法をサービス提供サーバ装置６０へ通知する。この測位結果及び測位方法の情報を受けたサービス提供サーバ６０では、サービス情報通知部６８が、通知された携帯電話１０の現在位置及びその精度に基づいて、携帯電話１０の現在位置及び測位精度に応じた地図情報をサービス情報に決定し、携帯電話１０へ通知する。したがって、本実施形態によれば、利用者の利便性を向上させつつ、移動通信端末装置の現在位置に対応して適切なサービスを提供することができる。
【００６８】
なお、上記の実施形態では、サービス提供サーバ６０からの測位を促す位置情報コンテンツを受けた携帯電話１０では、予め定められた測位優先度に従って測位方法を決定して、測位部３１が測位を行うこととした。これに対し、サービス提供サーバ６０から測位を促す位置情報コンテンツを送信する際に、当該位置情報コンテンツに測位方法の指定を含めることとすることができる。この場合には、サービス提供サーバ６０が提供できる情報に整合した精度が得られる測位方法による測位を、携帯電話１０に促すことができる。
【００６９】
このように、サービス提供サーバ６０が、測位方法を指定して、携帯電話１０に対して現在位置の測位を促す位置情報コンテンツを送信することとした場合には、携帯電話１０では、まず指定された測位方法により現在位置の測位を行う。そして、指定された測位方法による現在位置の測位に失敗したり、指定された測位方法による現在位置の測位ができなかったりした場合には、指定された測位方法によって定まる次善の測位方法により測位を行うこととすることができる。この場合には、携帯電話１０による測位が、サービス提供サーバからの指定に極力沿った方法で自動的に行われるので、利用者の利便性を向上させることができる。
【００７０】
また、上記の実施形態では、携帯電話１０によるＧＰＳ測位において、携帯電話１０で現在位置の算出までを行うこととした。これに対して、携帯電話１０では、ＧＰＳ衛星の捕捉、ＧＰＳ衛星からの電波を観測、及びＧＰＳ衛星との間の距離を求めることまでを行い、ＧＰＳ衛星との間の距離に基づく携帯電話１０の現在位置の算出を測位アシストサーバに依頼することとすることもできる。
【００７１】
また、上記の実施形態では、提供されるサービス情報を地図情報としたが、タウン情報等の携帯電話１０の現在位置に応じた情報としてもよい。
【００７２】
また、上記の実施形態では、携帯電話の現在位置の測位に本発明を適用したが、携帯電話以外の移動通信端末装置に本発明を適用することができるのは勿論である。
【産業上の利用可能性】
【００７３】
以上説明したように、本発明のサービス提供方法及びサービス提供システムは、移動通信端末装置の現在位置に応じたサービスの提供に適用することができる。また、本発明の移動通信端末装置は、現在位置に応じたサービスの提供を受けるための移動通信端末装置に適用することができる。
【図面の簡単な説明】
【００７４】
【図１】本発明の一実施形態に係るサービス提供システムの構成を模式的に図面である。
【図２】図１の携帯電話の外観構成を概略的に示す図である。
【図３】図１の携帯電話の機能ブロック図である。
【図４】図１の測位アシストサーバの機能ブロック図である。
【図５】図１のサービス提供サーバの機能ブロック図である。
【図６】図１のシステムによるサービス提供動作を説明するためのシーケンス図である。
【図７】位置情報コンテンツ情報を受けた携帯電話における表示例を示す図である。
【符号の説明】
【００７５】
１０…携帯電話（移動通信端末装置）、１１…携帯電話本体、１２…操作部、１３…表示部、１４…通話用スピーカ、１５…マイクロフォン、１６…案内用スピーカ、１７…アンテナ、２１…制御部、２２…ＧＰＳ受信部、２２Ａ…ＧＰＳ用のアンテナ、２３…記憶部、２４…無線送受信部、３１…測位部（測位手段）、３５…アプリケーション、３６…サービス提供要求部、３７…測位結果通知部（測位結果通知手段）、３８…サービス情報受信処理部、４１…ネットワーク、４２…基地局、５０…測位アシストサーバ、５１…制御処理装置、５２…アンテナ、５３…記憶装置、５４…送受信装置、５６…アシスト情報導出部、５７…アシスト情報通知部、６０…サービス提供サーバ（サーバ装置）、６１…制御処理装置、６３…記憶装置、６４…送受信装置、６６…受信データ解析部、６７…位置情報コンテンツ送信部（位置情報コンテンツ送信手段）、６８…サービス情報通知部（サービス情報通知手段）、１００…測位システム。
【図１】
2005217484.tif 000003
【図２】
2005217484.tif 000004
【図３】
2005217484.tif 000005
【図４】
2005217484.tif 000006
【図５】
2005217484.tif 000007
【図６】
2005217484.tif 000008
【図７】
2005217484.tif 000009